(57)【要約】  シャッターメガネを用いて複数の映像ストリームを出力可能な映像出力装置が出力する映像を複数の視聴者が視聴してる場合に、他の人の視聴を妨害することなく、リモコンを操作する人が他の人が視聴する映像ストリームとは異なる映像ストリームを視聴できるように、動的に切り換えることのできる映像出力装置を提供する。  操作モードの開始および終了を指示する操作信号を受信し、操作モードの期間では、 第１の映像ストリームと第２の映像ストリームと時分割で出力し、かつ、時分割のタイミングと同期した同期信号を送信し、通常モードの期間では、第２の映像ストリームを構成する画像を含まず、第１の映像ストリームを構成する画像に基づいた映像を出力する。
2011086653.tif 000002
【特許請求の範囲】
【請求項１】
時分割により複数の映像ストリームを出力可能な映像出力装置であって、
所定の操作の開始および終了を示す操作信号を受信する操作信号受信部と、
前記操作信号受信部が、前記所定の操作の開始を示す操作信号を受信してから、 前記所定の操作の終了を示す操作信号を受信するまでの期間として規定される操作モードの期間においては、第１の映像ストリームを構成する画像からなる第１の画像セットと第２の映像ストリームを構成する画像からなる第２の画像セットとを交互に切り換えて出力し、前記操作モードでない期間として規定される通常モードの期間においては、 前記第２の映像ストリームを構成する画像を含まず、前記第１の映像ストリームを構成する画像に基づいた画像を出力する映像出力部と、
前記操作モードの期間においては、前記第１の画像セットの出力区間から前記第２の画像セットの出力区間への切り換えのタイミング、および、前記第２の画像セットの出力区間から前記第１の画像セットの出力区間への切り換えのタイミングを示す同期信号を送信する同期信号送信部とを備える
ことを特徴とする映像出力装置。
【請求項２】
前記第２の映像ストリームを構成する画像は、
当該画像が出力されるタイミングの直前に出力される前記第１の映像ストリームを構成する画像に、当該第１の映像ストリームを構成する画像とは異なる画像を重畳してできる画像である
ことを特徴とする請求項１に記載の映像出力装置。
【請求項３】
前記通常モードの期間において、前記映像出力部が出力する画像は、前記第１の映像ストリームを構成する画像に基づいて生成される補完画像を含み、
前記補完画像は、
第２の映像ストリームを構成する画像を前記操作モードの期間において表示すべきタイミングで、前記通常モードの期間に出力される 
ことを特徴とする請求項２に記載の映像出力装置。
【請求項４】
前記操作モードの期間において、前記映像出力部が出力する前記第２の映像ストリームを構成する画像を出力するタイミングは、前記通常モードの期間においては、前記第１の映像ストリームを構成する画像のうち、所定の画像を表示すべきタイミングであり、
当該タイミングでは、前記第１の映像ストリームを構成する所定の画像を出力しない
ことを特徴とする請求項２に記載の映像出力装置。
【請求項５】
前記第２の映像ストリームを構成する画像は、
当該画像が出力されるタイミングの直前に出力される前記第１の映像ストリームを構成する画像とは異なる画像に、当該第１の映像ストリームを構成する画像を縮小した画像を重畳してできる画像である
ことを特徴とする請求項１に記載の映像出力装置。
【請求項６】
時分割により複数の画像ストリームを表示可能な映像表示装置と、前記映像表示装置が表示する映像を視聴するためのシャッターメガネとを含む映像表示システムであって、
前記映像表示装置は、
所定の操作の開始および終了を示す操作信号を受信する操作信号受信部と、
前記操作信号受信部が、前記所定の操作の開始を示す操作信号を受信してから、 前記所定の操作の終了を示す操作信号を受信するまでの期間として規定される操作モードの期間においては、第１の映像ストリームを構成する画像からなる第１の画像セットと 第２の映像ストリームを構成する画像からなる第２の画像セットとを交互に切り換えて出力し、前記操作モードでない期間として規定される通常モードの期間においては、 前記第２の映像ストリームを構成する画像を含まず、前記第１の映像ストリームを構成する画像に基づいた画像を出力する映像出力部と、
前記操作モードの期間においては、前記第１の画像セットの出力区間から前記第２の画像セットの出力区間への切り換えのタイミング、および、前記第２の画像セットの出力区間から前記第１の画像セットの出力区間への切り換えのタイミングを示す同期信号を送信する同期信号送信部と、
前記映像出力部が出力する映像を表示する映像表示部とを備え、
前記シャッターメガネは、
前記操作モードの期間において、前記第１の映像ストリームと前記第２の映像ストリームとのどちらを視聴するかを選択する選択部と、
前記同期信号を受信する同期信号受信部と、
前記同期信号に基づき、前記操作モードの期間においては、前記選択部により前記第１の映像ストリームを視聴することが選択された場合には、前記第１の画像セットの出力区間でシャッターを開き、前記第２の画像セットの出力区間でシャッターを閉じるようにシャッター制御を行い、前記選択部により前記第２の映像ストリームを視聴することが選択された場合には、前記第１の画像セットの出力区間でシャッターを閉じ、前記第２の画像セットの出力区間でシャッターを開くようにシャッター制御を行うシャッター制御部とを備える
ことを特徴とする映像表示システム。
【請求項７】
前記シャッターメガネは、
前記シャッターメガネを装着している視聴者が、前記所定の操作の開始および終了を示す操作を行う操作デバイスを所持しているかどうかを検出する検出部を備え、
前記選択部は、
前記検出部が前記操作デバイスを所持していることを検出した場合には、前記第２の映像ストリームを視聴することが選択し、前記検出部が前記操作デバイスを所持していることを検出しない場合には、前記第１の映像ストリームを視聴することが選択する
ことを特徴とする請求項６に記載の映像表示システム。
【発明の詳細な説明】
【技術分野】
【０００１】
本発明は、時分割により複数の画像ストリームを出力可能な映像出力装置に関する。
【背景技術】
【０００２】
放送のデジタル化およびＡＶ機器のデジタル化に伴い、ホームＡＶ機器は多様な機能を備えるようになった。【０００３】
例えば、テレビなどの表示機器には、視聴者がリモコンを操作して、映像や音声の設定を変更する項目を選択するために、メニューを画面に表示する機能がある。一方で、テレビはプラズマ技術等により大画面化が進み、同じテレビを複数の人で視聴するという使われ方もする。【０００４】
ところが、メニュー画面はリモコンを操作する人だけにとって一時的に必要な画面であり、他の人にとっては視聴の妨害となってしまう。【０００５】
同じテレビを見ていながら、異なる視聴者が異なる画面を見る技術として、特許文献１ には、同一の画面上に異なる画像を時分割で二画面表示し、時分割で表示される２つの映像のうち、一方が表示されるタイミングと同期してシャッターが開くシャッターメガネをかけた視聴者と、他方が表示されるタイミングと同期してシャッターが開くシャッターメガネをかけた視聴者とでは、異なる映像を視聴できるようにした表示装置が開示されている。【０００６】
シャッターメガネとは、液晶シャッターや偏向フィルタを用いて、左右の目に入る光を個別に遮断できるようになったメガネであり、交互に表示される左目用の平面映像と右目用の平面映像に対して、左目用の平面映像を左目で見て、右目用の平面映像を右目で見るようにシャッター開閉の制御を行うことで、映像を立体視するために用いられている。【０００７】
このようにして立体映像を視聴できるテレビの登場により、シャッターメガネをかけてテレビを視聴するという形態は、今後普及していくと考えられる。
【先行技術文献】
【特許文献】
【０００８】
【特許文献１】特開平９−１０１７４９号公報
【発明の概要】
【発明が解決しようとする課題】
【０００９】
ところで、上述した従来の表示装置では、単一の表示機器を複数の視聴者で共有するという使用形態を想定しているため、視聴の途中で異なる視聴者が、同一の映像を見るか異なる映像を見るかを切り換えることができないという課題がある。【００１０】
つまり、異なる視聴者が異なる映像を見ていれば、一方の映像にメニュー画面が表示されても、他方の映像にはメニュー画面が表示されず、視聴の妨害になることはないが、 異なる視聴者が同一の映像を見ていれば、その映像にメニュー画面が表示されると、 その映像を見ている視聴者全員がメニュー画面を見ることになり、これはリモコンでメニューを操作する視聴者以外にとっては視聴の妨害になる。【００１１】
本発明は、複数の人が映像を視聴中に、視聴中の映像とは異なるメニュー画面等の映像を一時的に表示する場合でも、一時的に表示する映像を見たくない人の視聴が妨害されないように映像を出力することのできる映像出力装置を提供することを目的とする。
【課題を解決するための手段】
【００１２】
上記課題を解決するために、本発明の映像出力装置は、時分割により複数の映像ストリームを出力可能な映像出力装置であって、所定の操作の開始および終了を示す操作信号を受信する操作信号受信部と、前記操作信号受信部が、前記所定の操作の開始を示す操作信号を受信してから、前記所定の操作の終了を示す操作信号を受信するまでの期間として規定される操作モードの期間においては、第１の映像ストリームを構成する画像からなる第１の画像セットと第２の映像ストリームを構成する画像からなる第２の画像セットとを交互に切り換えて出力し、前記操作モードでない期間として規定される通常モードの期間においては、前記第２の映像ストリームを構成する画像を含まず、 前記第１の映像ストリームを構成する画像に基づいた画像を出力する映像出力部と、 前記操作モードの期間においては、前記第1の画像セットの出力区間から前記第２の画像セットの出力区間への切り換えのタイミング、および、前記第２の画像セットの出力区間から前記第１の画像セットの出力区間への切り換えのタイミングを示す同期信号を送信する同期信号送信部とを備えることを特徴とする。【００１３】
また、本発明の映像表示システムは、時分割により複数の画像ストリームを表示可能な映像表示装置と、前記映像表示装置が表示する映像を視聴するためのシャッターメガネとを含む映像表示システムであって、前記映像表示装置は、所定の操作の開始および終了を示す操作信号を受信する操作信号受信部と、前記操作信号受信部が、前記所定の操作の開始を示す操作信号を受信してから、前記所定の操作の終了を示す操作信号を受信するまでの期間として規定される操作モードの期間においては、第１の映像ストリームを構成する画像からなる第１の画像セットと第２の映像ストリームを構成する画像からなる第２画像セットとを交互に切り換えて出力し、前記操作モードでない期間として規定される通常モードの期間においては、前記第２の映像ストリームを構成する画像を含まず、前記第１の映像ストリームを構成する画像に基づいた画像を出力する映像出力部と、前記操作モードの期間においては、前記第１の画像セットの出力区間から前記第２の画像セットの出力区間への切り換えのタイミング、および、前記第２の画像セットの出力区間から前記第１の画像セットの出力区間への切り換えのタイミングを示す同期信号を送信する同期信号送信部と、前記映像出力部が出力する映像を表示する映像表示部とを備え、前記シャッターメガネは、前記操作モードの期間において、前記第１の映像ストリームと前記第２の映像ストリームとのどちらを視聴するかを選択する選択部と、前記同期信号を受信する同期信号受信部と、前記同期信号に基づき、 前記操作モードの期間においては、前記選択部により前記第１の映像ストリームを視聴することが選択された場合には、前記第１の画像セットの出力区間でシャッターを開き、 前記第２の画像セットの出力区間でシャッターを閉じるようにシャッター制御を行い、 前記選択部により前記第２の映像ストリームを視聴することが選択された場合には、前記第１の画像セットの出力区間でシャッターを閉じ、前記第２の画像セットの出力区間でシャッターを開くようにシャッター制御を行うシャッター制御部とを備えることを特徴とする。
【発明の効果】
【００１４】
上記の映像出力装置によると、通常モードの期間では、第１の映像を出力し、操作モードの期間では、第１の映像と第２の映像とを時分割で出力し、それぞれの映像の切り換えのタイミングを示す同期信号を送信するので、その同期信号に基づいてシャッターを開閉するシャッターメガネを介して本映像出力装置から出力される映像を視聴すれば、操作モードの期間で、第１の映像または第２の映像を選択的に視聴することができる。【００１５】
よって、第１の映像をメニューの表示されない通常の画面とし、第２の映像をメニュー画面とすると、複数の人が同じ第１の映像が表示されたテレビ画面を見ている場合に、 １人がリモコンを操作してメニュー画面を呼び出し、リモコンを操作した人は、第２の映像を見るようにしておけば、リモコンを操作した視聴者だけがメニュー画面を見て、他の視聴者はメニュー画面に妨害されることなく通常の画面を見続けることができる。【００１６】
また、上記の映像表示システムによると、上記の映像出力装置が出力する映像を表示した画面を、映像出力装置から送信される同期信号に基づいてシャッターを開閉するシャッターメガネを介して視聴するので、操作モードの期間で、第１の映像または第２の映像を選択的に視聴することができる。【００１７】
ここで、前記第２の映像ストリームを構成する画像は、当該画像が出力されるタイミングの直前に出力される前記第１の映像ストリームを構成する画像に、当該第１の映像ストリームを構成する画像とは異なる画像を重畳してできる画像であるとしてもよい。【００１８】
操作モードで表示する２つの映像ストリームのうち、第２の映像ストリームを構成する画像を第１の映像ストリームを構成する画像にメニュー画面等の他の画面を重畳して生成することで、第２の映像として表示されるメニュー画面を見ながらリモコンを操作する人も、 背景として第1の映像を見ながら操作できる。【００１９】
ここで、前記通常モードの期間において、前記映像出力部が出力する画像は、前記第１の映像ストリームを構成する画像に基づいて生成される補完画像を含み、前記補完画像は、第２の映像ストリームを構成する画像を前記操作モードの期間において表示すべきタイミングで、前記通常モードの期間に出力されるとしてもよい。【００２０】
操作モードの期間において第２の映像ストリームを構成する画像を表示すべきタイミングに、通常モードの期間では、第１の映像ストリームを構成する画像に基づいて生成される補完画像を出力しておき、通常モードの期間におけるシャッターメガネのシャッター開閉のタイミングを元の画像が出力されるタイミングに加えて、補完画像が出力されるタイミングでもシャッターが開くようにしておくことで、通常モードの期間において、第１の映像ストリームをより滑かに見ることができる。【００２１】
ここで、前記操作モードの期間において、前記映像出力部が出力する前記第２の映像ストリームを構成する画像を出力するタイミングは、前記通常モードの期間においては、前記第１の映像ストリームを構成する画像のうち、所定の画像を表示すべきタイミングであり、当該タイミングでは、前記第１の映像ストリームを構成する所定の画像を出力しないとしてもよい。【００２２】
操作モードの期間において、第１の映像ストリームのフレームレートが高いなどの理由によって、第２の映像ストリームを構成する画像を出力するタイミングを確保するのが困難な場合でも、第１の映像ストリームを構成する画像のうちの一部を出力せずに、当該画像を出力するタイミングで第２の映像ストリームを構成する画像を出力するようにすれば、第１の映像ストリームと第２の映像ストリームとを時分割で出力できる。第１の映像ストリームを構成する画像のうちの一部を出力するとは、例えば、連続する画像を１枚おきに出力することであり、こうすることで映像の滑らかさは落ちるが、時分割表示することで、 第１の映像ストリームを見たい人が、第２の映像ストリームとして一時的に表示されるメニュー画面等に妨害されて、 第２の映像ストリームを映した画面の一部が見えないという事態は避けることができる。【００２３】
ここで、前記第２の映像ストリームを構成する画像は、当該画像が出力されるタイミングの直前に出力される前記第１の映像ストリームを構成する画像とは異なる画像に、 当該第１の映像ストリームを構成する画像を縮小した画像を重畳してできる画像である としてもよい。【００２４】
操作モードで表示する２つの映像ストリームのうちの第２の画面を、 第１の画面を縮小した画像をメニュー画面等の画面の一部に重畳した画像とすることで、第２の映像ストリームを視聴する人も、第１の映像ストリームを見ながら操作できる。【００２５】
ここで、前記シャッターメガネは、前記シャッターメガネを装着している視聴者が、前記所定の操作の開始および終了を示す操作を行う操作デバイスを所持しているかどうかを検出する検出部を備え、前記選択部は、前記検出部が前記操作デバイスを所持していることを検出した場合には、前記第２の映像ストリームを視聴することが選択し、前記検出部が前記操作デバイスを所持していることを検出しない場合には、前記第１の映像ストリームを視聴することが選択するとしてもよい。【００２６】
シャッターメガネを装着している視聴者が、操作モードの開始および終了を指示する操作を行う操作デバイスを所持している場合に、第２の映像ストリームを見るように選択部を制御することで、操作を行う視聴者が手動で選択する手間を省くことができる。操作デバイスを所持しているかどうかの検出は、例えば、人体通信により、操作デバイスとシャッターメガネとの間で通信を行うことにより実現できる。
【図面の簡単な説明】
【００２７】
【図１】本実施形態の映像出力装置の使用形態を示す図。
【図２】本実施形態の映像出力装置の通常画面に重畳したメニュー画面の例を示す図。
【図３】本実施形態の映像出力装置の構成を示す図。
【図４】本実施形態の映像出力装置の表示モードの切り換えを示す図。
【図５】本実施形態の通常モードにおけるシャッターメガネのシャッター制御を示す図。
【図６】本実施形態の操作モードにおけるシャッターメガネのシャッター制御を示す図。
【図７】本実施形態の映像出力装置の映像出力動作を示すフローチャート。
【図８】本実施形態のシャッターメガネのシャッター開閉制御を示すフローチャート。
【図９】本実施形態の平面映像に対するシャッターメガネのシャッター制御を示す図。
【図１０】本実施形態の映像出力装置が補完画像を出力する例を示す図。
【図１１】本実施形態の映像出力装置が画像を間引いて出力する例を示す図。
【図１２】本実施形態の映像出力装置の通常画面を埋め込んだメニュー画面の例を示す図。
【発明を実施するための形態】
【００２８】
《実施形態１》
本実施形態では、立体映像を表示するテレビ画面を、シャッターメガネをかけた２人の視聴者Ｘ，Ｙが見ている場合に、視聴者Ｘがリモコンを操作して映像や音声の設定を変更するための選択項目等を表示したメニュー画面を呼び出したときに、視聴者Ｘにだけメニュー画面が見え、視聴者Ｙにはメニュー画面が表示される前の通常の画面が見える映像出力装置について説明する。ここで立体映像とは、左目用の画像と右目用の画像とを交互に表示し、左目用の画像を左目で見て、右目用の画像を右目で見るように制御されたシャッターメガネをかけて視聴することで、立体的に見える映像であり、 立体映像を表示するとは、左目用の画像を連ねてできる映像ストリームと、右目用の画像を連ねてできる映像ストリームとを時分割で交互に表示することである。
【００２９】
図１は、本実施形態の映像出力装置100を備えたテレビ110を、シャッターメガネ130をかけた２人の視聴者Ｘ，Ｙが視聴している状況を示している。後述するように、シャッターメガネ130には切換スイッチがついており、初期状態では切換スイッチはOFFであるとする。視聴者Ｘが、リモコン120を操作すると操作信号が送信され、テレビ110はそれまで表示していた通常画面とメニュー画面とを時分割で表示するようになる。このとき、通常画面の出力とメニュー画面の出力との切り換えのタイミングを示した同期信号を送信し、シャッターメガネ130は、この同期信号に基づいてシャッターの開閉を制御する。視聴者が、通常画面を見るかメニュー画面を見るかは、シャッターメガネ130に備えつけられた切換スイッチで選択できるようになっており、リモコンを操作する視聴者Ｘは、切換スイッチをONにすることでメニュー画面が見え、リモコンを操作しない視聴者Ｙは、切換スイッチをOFFのままにしておけば、メニュー画面が見えずに通常画面だけが見える。
【００３０】
このように、通常画面とメニュー画面とが時分割で表示される場合を操作モードと呼び、 操作モードでない場合、すなわち、どの視聴者にも同じ通常画面が表示される場合を通常モードと呼び、映像出力装置100は、リモコン120でメニュー画面の表示を要する操作を 開始および終了したことを示す操作信号を受信すると、通常モードと操作モードとの切り換えを行い、各モードに応じて出力する映像の制御を行う。
【００３１】
次に、通常モードと操作モードとのそれぞれの画面の例を、図２に示す。 図２において、（ａ）は左目用画像、（ｂ）は右目用画像である。
【００３２】
図２（ａ）において、左上図は、通常モードで表示される映像である。左下図は、メニュー画面を表示するためのグラフィックスである。操作モードでは、リモコンを操作しない視聴者は、切換スイッチを明示的にONにしない限り、右上図のように、通常モードと同じ映像を視聴する。リモコンを操作する視聴者は、切換スイッチをONにすることで、 右下図のように、通常モードで表示される映像の前面にメニューとして表示されるべきグラフィックスを重畳した映像を視聴する。以下の説明において、メニュー画面とは、通常の映像にメニューとして表示されるべきグラフィックスが重畳された画面のことをいう。
【００３３】
図２（ｂ）についても同様である。
〈構成〉
ここでは、本実施形態の映像出力装置を含む映像出力システムの構成について、 図３を用いて説明する。
【００３４】
映像出力装置100は、チューナ111から受信した、あるいは、記録媒体112に記録されている左目用映像および右目用映像を読み出し、リモコン120からの操作信号に基づいて、通常モードであるか操作モードであるかを判定し、通常モードでは読み出した左目用映像の画像と右目用映像の画像とを交互に出力した通常画面を、操作モードでは読み出した左目用映像の画像と右目用映像の画像とを交互に出力した通常画面に加え、生成した左目用グラフィックスと右目用グラフィックスとを交互に出力したメニュー画面とを時分割でディスプレイ113に出力し、出力する映像と同期した同期信号を送信する。
【００３５】
ここで、同期信号は、通常モードにおいては、左目用の画像の出力と右目用の画像の出力との切り換えのタイミングを示した信号であり、操作モードにおいては、左目用の画像の出力と右目用の画像の出力との切り換えのタイミングに加えて、通常画面とメニュー画面との切り換えのタイミングも示した信号である。
【００３６】
視聴者は、同期信号に基づいてシャッターの開閉を制御するシャッターメガネ130をかけてディスプレイ113に表示される映像を視聴することで、立体映像を見ることができ、 操作モードに切り換えた場合には、切換スイッチを明示的にONにすることで、メニュー画面を視聴することができ、切換スイッチを明示的にONにしなければ、メニュー画面に妨害されることなく通常画面を視聴することができる。
【００３７】
次に、映像出力装置100の構成について説明する。映像出力装置100は、操作信号受信部101、表示制御部102、同期制御部103、同期信号送信部104、ビデオデコーダ105、ビデオフレームバッファ106、グラフィックス生成部107、及び、グラフィックスフレームバッファ108を含む構成となっている。
【００３８】
操作信号受信部101は、リモコン120から送信される操作モードの開始および終了を指示する操作信号を受信する機能を有する。操作信号受信部101は、操作信号を受信するとその旨を表示制御部102に通知する。
【００３９】
表示制御部102は、ビデオデコーダ105に対して、チューナ111または記録媒体112から入力される映像をデコードするように指示する機能を有する。また、表示制御部102は、操作信号受信部101からの通知に基づいて、現在の表示モードが、通常モードなのか操作モードなのかを判断し、操作モードなら、メニュー画面を生成するようにグラフィックス生成部107に指示する機能を有する。更に、表示制御部102は、通常モードと操作モードとの切り換えが起こったときに、切り換え後の表示モードが通常モードなのか操作モードなのかを同期制御部103に通知する機能を有する。
【００４０】
同期制御部103は、表示制御部102からの通知に基づいて、同期信号を生成する機能を有する。同期制御部103は、表示制御部102から通知された現在の表示モードが通常モードのときは、ビデオデコーダ105によってデコードされた映像を出力した通常画面を立体視するために、シャッターメガネ130を制御すべきタイミングを示す同期信号を生成する。同期制御部103は、表示制御部102から通知された現在の表示モードが操作モードのときは、ビデオデコーダ105によってデコードされた映像を出力した通常画面と、ビデオデコーダ105によってデコードされた映像にグラフィックス生成部107が生成した映像が重畳したメニュー画面とのうち、いずれか一方の選択と、選択した画面の立体視とを行うために、シャッターメガネ130を制御すべきタイミングを示す同期信号を生成する。
【００４１】
図４は、通常モードと操作モードとの切り換えのタイミングと、同期信号の関係を示した図である。
【００４２】
操作信号受信部101が、操作モードの開始を示す操作信号を受信すると、表示制御部102は、操作モード用に同期信号を変更するように同期制御部103に指示し、同期信号送信部104は、変更後の同期信号を送信する。
【００４３】
操作信号受信部101が、操作モードの終了を示す操作信号を受信すると、表示制御部102は、操作モード用に変更された同期信号を元に戻すように同期制御部103に指示し、同期信号送信部104は、元の同期信号を送信する。
【００４４】
図５は、同期信号によって同期される映像出力のタイミングとシャッターの開閉のタイミングとの関係を示した図である。
【００４５】
図５（ａ）は、通常モードで出力される映像のうち、右目用と左目用のそれぞれ連続する２つの 画像A1L,A1R,A2L,A2Rを出力する信号を示している。ここで、nを整数として、画像AnLとは、 通常画面Aの左目用の映像ストリームのn番目の画像であることを意味する。また、画像AnRとは、通常画面Aの右目用の映像ストリームのn番目の画像であることを意味する。
【００４６】
図5（a）において、A1L,A1R,A2L,A2Rを付したパルスは、それぞれの画像をディスプレイ113に出力することを示した信号である。この立体映像は、右目用と左目用のそれぞれが30fpsの フレームレートであるとし、合計で60fpsであるとする。このとき、右目用画像を出力する信号と 左目用画像を出力する信号とが1/60sごとに交互に出力される。
【００４７】
図５（ａ）に示しているように、各画像を出力するパルスは、フレーム間隔1/60sに比べて十分狭く、パルス幅に相当する一瞬だけディスプレイ113に画像が表示され、パルスのない区間ではディスプレイ113には何も表示されないが、1/60sという速い周期で画像を連続して出力することで、人間の目には映像として認識される。
【００４８】
図５（ａ）では、１つの画像を出力するのに１つのパルスしか図示していないが、実際は、プラズマテレビでは、赤、緑、青の色ごとの３つのパルスで、３つの色ごとの画像を出力することで、１つの画像を形成している。 更に、その３つのパルスの組を何回か出力することで、輝度を調整しているが、いずれにせよ、１つの最終的な画像を出力するために必要なパルスの出力区間全体は、フレーム間隔1/60sの半分1/120sよりも短くなるように設計してあるものとする。つまり、図５（ａ）において、左目用画像と右目用画像とが出力される間には、少なくとも1/120sの間は、何も出力されない時間があることになる。
【００４９】
図５（ｂ）は、通常モードで表示される立体映像を視聴するために、シャッターメガネ130がシャッターを制御するタイミングを示す同期信号である。同期信号は、左目用の画像を出力するタイミングで立ち上がり、右目用の画像を出力するタイミングで立ち下がるパルス状の信号である。同期信号のパルスの高さを１とする。
【００５０】
映像出力装置100の同期信号送信部104は、上記の同期信号で示される変調をかけた赤外線などの電磁波を送信し、リモコン120の同期信号受信部131は、それを受信して検波することで、同期信号を取り出す。
【００５１】
図５（ｃ）は、図５（ｂ）の同期信号と同期して制御されるシャッターの開閉状態を示している。図５（ｃ）において、値１をとる区間がシャッターが開いていることを示し、値０をとる区間がシャッターが閉じていることを示している。左目用のシャッターは、同期信号の値が１であるときだけ開くようにすることで、左目には左目用の画像だけが見えるようになる。 また、右目用のシャッターは、同期信号の値が０であるときだけ開くようにすることで、 右目には右目用の画像だけが見えるようになる。よって、このシャッターを通して映像を見ると、立体映像を見ることができる。
【００５２】
これに対して、図６（ａ）は、操作モードで出力される通常画面とメニュー画面との２つの映像のうち、右目用と左目用のそれぞれ連続する２つの画像A1L,A1R,A2L,A2RおよびB1L,B1R,B2L,B2Rを出力する信号を示している。ここで、nを整数として、画像BnLとは、メニュー画面Bの左目用の映像ストリームのn番目の画像であることを意味する。また、画像BnRとは、メニュー画面Bの右目用の映像ストリームのn番目の画像であることを意味する。ここで、メニュー画面Bは、上述したように、通常の映像にメニューとして表示されるべきグラフィックスが重畳された画面のことをいう。
【００５３】
操作モードでは、通常モードで信号が出力されてないタイミングを利用して、メニュー画面用の画像を出力する。従って、操作モードでは、通常モードに比べてフレームレートが２倍になる。
【００５４】
図６（ｂ）は、図６（ａ）の画像を出力するタイミングを示す同期信号である。同期信号は、 左目用の通常画面を出力するタイミングで立ち上がり、左目用のメニュー画面を出力するタイミングで立ち下がる正のパルス状の信号と、右目用の通常画面を出力するタイミングで立ち上がり、右目用のメニュー画面を出力するタイミングで立ち下がる負のパルス状の信号とを重ね合わせた信号である。
【００５５】
図６（ｃ）は、選択部133で通常画面を視聴するように選択している場合に、図６（ｂ）で示される同期信号と同期して、シャッターの開閉を制御するシャッターメガネの開閉状態を表している。左目用のシャッターは、同期信号の値が１であるときだけ開くようにすることで、左目には左目用の画像だけが見えるようになる。また、右目用のシャッターは、同期信号の値が−１であるときだけ開くようにすることで、右目には右目用の画像だけが見えるようになる。よって、この通常シャッターを通して映像を見ると、通常画面の立体映像を見ることができる。
【００５６】
一方、選択部133でメニュー画面を視聴するように切り換えると同期信号変換部132は、受信した同期信号を図６（ｄ）のように変換する。すなわち、図６（ｂ）に示した変換前の同期信号に対して、変換後の同期信号は、１フレームに相当する1/120sだけ位相を遅らせた信号である。
【００５７】
図６（ｅ）は、図６（ｄ）で示される変換後の同期信号と同期して、シャッターの開閉を制御するシャッターメガネの開閉状態を表している。この切換シャッターを通して映像を見ると、通常の映像にメニューとして表示されるべきグラフィックスが重畳された立体映像を見ることができる。
【００５８】
同期信号送信部104は、同期制御部103が生成した同期信号を、赤外線通信などの無線通信によって送信する機能を有する。
【００５９】
ビデオデコーダ105は、チューナ111により受信した映像、または、記録媒体112に記録されている映像を読み出し、デコードする機能を有する。また、ビデオデコーダ105は、映像をデコードして得られる画像をビデオフレームバッファ106に書き込む機能を有する。ビデオデコーダ105は、デコードした映像ストリームが左目用ならば、ビデオフレームバッファ106Lに左目用画像を書き込み、デコードした映像ストリームが右目用ならば、ビデオフレームバッファ106Rに右目用画像を書き込む。
【００６０】
ビデオフレームバッファ106は、ビデオデコーダ105によってデコードされた画像を 記憶するためのメモリである。ビデオフレームバッファ106は、左目用画像記録用と右目用画像記録用とが別々に用意されている。
【００６１】
グラフィックス生成部107は、操作モードである期間において表示されるメニュー画面を生成する機能を有する。グラフィックス生成部107は、表示制御部102から操作モードに移行したこと通知されると、予め決められたトップメニューの画像を生成し、グラフィックスフレームバッファ108に書き込む。更に、リモコン120のカーソルキーや決定キーが押下されたことを示す操作信号を受信したことを表示制御部102から通知されると、 それに応じてメニュー上の選択項目の状態を変更した画像を生成したり、サブメニューの画像を生成する。本実施形態では、メニュー画面も立体的であるとしているので、上記の画像生成は左目用と右目用とを別に生成し、それぞれ、グラフィックスフレームバッファ108L、および、グラフィックスフレームバッファ108Rに書き込む。
【００６２】
グラフィックスフレームバッファ108は、グラフィックス生成部107が生成したメニュー画面を示す画像を記憶するためのメモリである。グラフィックスフレームバッファ108は、 左目用画像記録用と右目用画像記録用とが別々に用意されている。
〈映像出力動作〉
ここでは、映像出力装置100の動作を図７のフローチャートを用いて説明する。
【００６３】
まず、映像出力装置100の操作信号受信部101がリモコン120の操作信号送信部122から映像出力の開始を指示する操作信号を受信すると、表示制御部102は同期制御部103に通常モードで送信すべき同期信号を生成するように指示し、同期信号送信部104が同期信号の送信を開始する(S700)。
【００６４】
次に、操作信号受信部101が、操作モードを開始する操作信号を受信したかどうか判定し(S701)、操作モードを開始する操作信号を受信すれば(S701 Y)、操作モードを開始する(S702)。更に、同期制御部103は、同期信号送信部104から出力すべき同期信号を通常モード用から操作モード用に変更する(S703)。これにより、同期制御部103が生成する同期信号は、図６（ｂ） のようになる。
【００６５】
操作信号受信部101が、 操作モードを開始する操作信号を受信しなければ(S701 N)、操作モードを終了する操作信号を受信したかどうか判定し(S704)、操作モードを終了する操作信号を受信すれば(S704 Y)、操作モードを終了する(S705)。更に、同期制御部103は、同期信号送信部104から出力すべき同期信号を操作モード用から通常モード用に戻す(S706)。これにより、同期制御部103が生成する同期信号は、図５（ｂ） のようになる。
【００６６】
次に、現在処理中の映像が左目用なのか右目用なのかを示す変数をQとして、Q=L,Rについて、以下の処理を行う(S707,S715,S716)。
【００６７】
まず、ビデオデコードを行う(S708)。すなわち、ビデオデコーダ105が、チューナ111から受信した映像、または、記録媒体112に記録されている映像を読み出し、デコードして得られる画像Aをビデオフレームバッファ106に書き込む。このとき、Q=Lなら左目用の映像のデコードを行い、Q=Rなら右目用の映像のデコードを行う。
【００６８】
次に、映像出力部109は、ビデオフレームバッファ106から通常画面の画像Aを取得し(S709)、同期信号に同期して、画像Aをディスプレイ113に出力する(S710)。すなわち、通常モードでQ=Lの場合は、図５（ｂ）の同期信号に対して、パルスの立ち上がりのタイミングで、ビデオフレームバッファ106から左目用の画像Aを取得し、当該画像Aを表示するためのパルス信号をディスプレイ113に出力する。また、通常モードでQ=Rの場合は、図５（ｂ）の同期信号に対して、パルスの立ち下がりのタイミングで、ビデオフレームバッファ106から右目用の画像Aを取得し、当該画像Aを表示するためのパルス信号をディスプレイ113に出力する。操作モードの場合は、図６（ｂ）の同期信号に対して、Q=Lなら、パルスが０から１への立ち上がるタイミングでビデオフレームバッファ106から左目用の画像Aを取得し、当該画像Aを表示するためのパルス信号を ディスプレイ113に出力し、Q=Rなら、パルスが０から−１への立ち上がるタイミングで ビデオフレームバッファ106から右目用の画像Aを取得し、当該画像Aを表示するためのパルス信号をディスプレイ113に出力する。
【００６９】
次に、現在の表示モードが操作モードかどうか判定し(S711)、操作モードでなければ(S710 N)、以上の処理を同期信号の周期1/30sで繰り返す(S715 Y)。
【００７０】
現在の表示モードが操作モードかどうかの判定において(S711)、操作モードであれば(S711 Y)、グラフィックス生成部107が、メニュー画面を示すグラフィックスを生成し、その画像Bをグラフィックスフレームバッファ108に書き込む(S712)。このとき、Q=Lなら左目用のグラフィックスを生成し、Q=Rなら右目用のグラフィックスを生成する。
【００７１】
次に、映像出力部109は、グラフィックスフレームバッファ108から通常の映像にメニューとして表示されるべきグラフィックスが重畳された画像Bを取得し(S713)、ディスプレイ113に出力する(S714)。すなわち、操作モードでは、図6（ｂ）の同期信号を送信しているので、Q=Lなら、パルスが１から０への立ち下がるタイミングでグラフィックスフレームバッファ108から左目用の画像Bを取得し、当該画像Bを表示するためのパルス信号をディスプレイ113に出力し、Q=Rなら、パルスが−１ から０への立ち下がるタイミングでグラフィックスフレームバッファ108から右目用の画像Bを取得し、当該画像Bを表示するためのパルス信号をディスプレイ113に出力する。
【００７２】
操作モードでは、以上の処理を同期信号の周期1/30sで繰り返す(S715 Y)。 
〈シャッター制御動作〉
ここでは、シャッターメガネ130の動作を図８のフローチャートを用いて説明する。
【００７３】
まず、同期信号受信部131が同期信号を受信するまで待つ(S801)。
【００７４】
同期信号受信部131が同期信号を受信すると(S801 Y)、選択部133の切換スイッチがONであるかOFFであるかを判定する(S802)。
【００７５】
切換スイッチがONであるならば(S802 Y)、同期信号受信部131が受信した同期信号を同期信号変換部132が変換し(S803)、シャッター制御部134は、変換された同期信号と同期したシャッターの開閉制御を開始する(S804)。
【００７６】
切換スイッチがONでないならば(S802 N)、シャッター制御部134は、同期信号受信部131が受信した同期信号と同期したシャッターの開閉制御を開始する(S805)。
【００７７】
同期信号受信部131が同期信号を受信しなければ(S801 N)、シャッター制御部134は、シャッターの開閉制御を終了し、シャッターを開いたままにする(S806)。
《補足》
上述の実施形態を以下のように変形してもよい。
【００７８】
（１）上述の実施形態では、通常画面とメニュー画面とが立体映像を表示するとし、それぞれ左目用と右目用の画像を交互に出力するようにしたが、本発明は必ずしもこれに限定されるわけではない。
【００７９】
通常画面もメニュー画面も平面映像であっても、視聴者全員が、シャッターメガネ130をかけて視聴していれば、特定の視聴者だけにメニュー画面が見えるようにすることができる。この場合、通常モードでは視聴者全員が同じ平面映像を見ることになるので、 同期信号を送信せずに、シャッターメガネのシャッターは開け放しにすればよい。また、通常画面は立体映像であり、メニュー画面は平面映像であるとしてもよい。
【００８０】
図９は、通常画面もメニュー画面も平面映像である場合の、通常モードおよび操作モードの画像出力タイミングと同期信号およびシャッター制御タイミングの関係を示した図である。
【００８１】
この場合、通常モードでは、シャッター制御する必要がないので、同期信号を送信しない。 図９（ｂ）のように操作モードでは、図９（ａ）の通常画面の画像出力タイミングの間で、メニュー画面の画像を出力し、通常モードの２倍のフレームレートで画像を出力する。このとき、図９（ｃ）のように同期信号を送信する。通常シャッターメガネは、この同期信号に従って、図９（ｄ）のようにシャッターを開閉する。切換シャッターメガネは、同期信号を 図９（ｅ）のように変換し、変換された同期信号に従って、図９（ｆ）のようにシャッターを開閉する。
【００８２】
（２）上述の実施形態では、通常画面に対応する信号を出力する際に、操作モードにおいてメニュー画面に対応する信号を出力すべきタイミングには、何の信号も出力しないとしたが、本発明は必ずしもこれに限定されるわけではない。
【００８３】
例えば、図１０には、通常画面もメニュー画面も平面映像である場合に、通常モードにおいて、補完画像a1〜a4を出力する例である。補完画像は、例えば、前後に出力される画像に基づいて、それらの中間の時点で表示されるべき画像として演算処理により生成される。例えば、補完画像a1は、画像A1とA2とから生成される。操作モードでは、この補完画像a1〜a4を出力する代わりに、メニュー画面の画像B1〜B4を出力し、 通常画面の出力タイミングとメニュー画面の出力タイミングとを判別可能な同期信号を送信する。この同期信号を受信して、通常シャッターメガネは、通常画面が出力されるタイミングでシャッターが開き、メニュー画面が出力されるタイミングでシャッターが閉まる ようにシャッター制御を行い、切換シャッターメガネは、通常画面が出力されるタイミングでシャッターが閉まり、メニュー画面が出力されるタイミングでシャッターが開くようにシャッター制御を行う。こうすることで、通常モードにおいて、より滑らかな映像を出力することができ、かつ、操作モードでは、通常画面とメニュー画面との二画面表示ができる。
【００８４】
（３）上述の実施形態では、通常画面に対応する信号間の何も信号を出力しないタイミングを利用して、メニュー画面に対応する信号を出力するとしたが、本発明は必ずしもこれに限定されるわけではない。
【００８５】
例えば、図１１には、通常画面もメニュー画面も平面映像で、通常モードの映像が120fpsのフレームレートである場合の例である。操作モードでは、画像A2,A4,A6,A8を出力する代わりに、メニュー画面の画像B1〜B4を出力し、通常画面の出力タイミングとメニュー画面の出力タイミングとを判別可能な同期信号を送信する。この同期信号を受信して、通常シャッターメガネは、通常画面が出力されるタイミングでシャッターが開き、メニュー画面が出力されるタイミングでシャッターが閉まるようにシャッター制御を行い、切換シャッターメガネは、通常画面が出力されるタイミングでシャッターが閉まり、メニュー画面が出力されるタイミングでシャッターが開くようにシャッター制御を行う。
【００８６】
こうすることで、通常モードでは、滑らかな映像出力を維持し、操作モードに移行した場合にだけ、通常画面のフレームレートを120fpsから60fpsにして画質を落とす代わりに、通常画面とメニュー画面との二画面表示を実現できる。
【００８７】
（４）上述の実施形態では、リモコン120を操作する視聴者が、シャッターメガネ130の選択部133の切換スイッチを手動で切り換えることで、操作モードにおいて、メニュー画面を見ることができるとしたが、本発明は必ずしもこれに限定されるわけではない。
【００８８】
例えば、リモコン120とシャッターメガネ130の間で、人体通信により信号を伝達し、リモコン120を操作する視聴者が、リモコン120に触れたときに、シャッターメガネ130の選択部133がメニュー画面を視聴するように切り換えるようにしてもよい。
【００８９】
ここで、人体通信とは、人間の体に電流を流すことで通信を行う技術であり、リモコン120およびシャッターメガネ130の皮膚と接触する部分に端子を備えつけておくことで、 シャッターメガネ130をかけた人が、リモコン120に触れたときに、触れたことを検出することができる。
【００９０】
こうすることで、手動による切り換えという手間をかけずに、メニュー画面を見る必要のある視聴者、つまり、リモコンをもって操作しようとする視聴者だけがメニュー画面を見ることができる。
【００９１】
（５）上述の実施形態では、通常画面とメニュー画面とを１枚ずつ交互に出力するとしたが、本発明は必ずしもこれに限定されるわけではない。
【００９２】
例えば、簡単のため平面映像で説明すると、通常画面A1〜A4と、メニュー画面B1,B2を、A1-A2-B1-A3-A4-B2のように、２枚と１枚とを交互に出力するようにしてもよい。この場合、A1,B1,A3,B2を出力するタイミング、すなわち、出力する画像の種類が切り換わるタイミングを判定できるように同期信号を送信することで、シャッターメガネは通常画面またはメニュー画面のいずれかを選択して視聴できるようにシャッター制御を行うことができる。ここで、A1-A2のように、同じ映像ストリームを構成する画像で、出力タイミングが連続しているものの組を画像セットと呼ぶと、同期信号は、画像セットの切り換えタイミングを示す信号であればよい。
【００９３】
（６）上述の実施形態では、メニュー画面の映像として、通常画面にメニューとして表示すべきグラフィックスを重畳した映像を表示するとしたが、本発明は必ずしもこれに限定されるわけではない。
【００９４】
例えば、図１２の右下図のように、通常モードに表示される映像を縮小して表示するようにしてもよい。
【００９５】
また、通常画面は表示せずに、メニューとして表示されるグラフィックスだけをメニュー画面として表示するようにしてもよい。
【００９６】
（７）上述の実施形態では、通常画面から一時的に切り換えて表示される画面は、映像や音声の設定変更を行うメニュー画面であるとしたが、本発明は必ずしもこれに限定されるわけではない。
【００９７】
例えば、メニュー画面の代わりに、ユーザ操作に応じて一時的に必要になった情報を、通常の映像に重畳して表示する画面であってもよい。
【００９８】
（８）上述の実施形態では、映像出力装置の説明を行ったが、上記の映像出力装置と同様の機能を有する集積回路、あるいは、上記の映像出力装置と同様の制御をコンピュータに実行させる制御プログラムも本発明の範疇である。 
【００９９】
（９）上述の実施形態では、操作モードの場合にのみグラフィックスを生成する構成となっているが、これに限定されない。モードに関係なくグラフィックスを生成する構成であってもよい。この場合において生成されたグラフィックスは、操作モード時には映像と合成され表示される。
【０１００】
また、表示するフレーム毎に、グラフィックスは生成される構成となっているが、これに限定されない。映像出力装置は、１度生成したグラフィックスを、グラフィックスの表示内容が変更されるまでの間、一時的に保持しておき、映像と保持されたグラフィックスを合成して、表示してもよい。
【０１０１】
（１０）上記の実施形態では、操作モード時の画像の出力順序を、A1L、B1L、A1R、B1R、・・・としたが、これに限定されない。例えば、A1L、A1R、B1L、B1R、・・・の出力順序であってもよい。つまり、これら４系統の画像を１つの組として周期的に出力するものであればよい。
【産業上の利用可能性】
【０１０２】
本発明の映像出力装置は、単一の表示機器において複数の視聴者が異なる映像を動的に切り換えて見ることが可能な映像出力装置として有用である。
【符号の説明】
【０１０３】
100：映像出力装置
101：操作信号受信部
102：表示制御部
103：同期制御部
104：同期信号送信部
105：ビデオデコーダ
106：ビデオフレームバッファ
107：グラフィックス生成部
108：グラフィックスフレームバッファ
109：映像出力部
110：テレビ
111：チューナ
112：記録媒体
113：ディスプレイ
120：リモコン
121：操作部
122：操作信号送信部
130：シャッターメガネ
131：同期信号受信部
132：同期信号変換部
133：選択部
134：シャッター制御部
【図１】
2011086653.tif 000003
【図２】
2011086653.tif 000004
【図３】
2011086653.tif 000005
【図４】
2011086653.tif 000006
【図５】
2011086653.tif 000007
【図６】
2011086653.tif 000008
【図７】
2011086653.tif 000009
【図８】
2011086653.tif 000010
【図９】
2011086653.tif 000011
【図１０】
2011086653.tif 000012
【図１１】
2011086653.tif 000013
【図１２】
2011086653.tif 000014
【手続補正書】
【提出日】平成23年8月17日(2011.8.17)
【手続補正１】
【補正対象書類名】明細書
【補正対象項目名】全文
【補正方法】変更
【補正の内容】
【発明の詳細な説明】
【技術分野】
【０００１】
本発明は、時分割により複数の画像ストリームを出力可能な映像出力装置に関する。
【背景技術】
【０００２】
放送のデジタル化およびＡＶ機器のデジタル化に伴い、ホームＡＶ機器は多様な機能を備えるようになった。
例えば、テレビなどの表示機器には、視聴者がリモコンを操作して、映像や音声の設定を変更する項目を選択するために、メニューを画面に表示する機能がある。一方で、テレビはプラズマ技術等により大画面化が進み、同じテレビを複数の人で視聴するという使われ方もする。
【０００３】
ところが、メニュー画面はリモコンを操作する人だけにとって一時的に必要な画面であり、他の人にとっては視聴の妨害となってしまう。
同じテレビを見ていながら、異なる視聴者が異なる画面を見る技術として、特許文献１ には、同一の画面上に異なる画像を時分割で二画面表示し、時分割で表示される２つの映像のうち、一方が表示されるタイミングと同期してシャッターが開くシャッターメガネをかけた視聴者と、他方が表示されるタイミングと同期してシャッターが開くシャッターメガネをかけた視聴者とでは、異なる映像を視聴できるようにした表示装置が開示されている。
【０００４】
シャッターメガネとは、液晶シャッターや偏向フィルタを用いて、左右の目に入る光を個別に遮断できるようになったメガネであり、交互に表示される左目用の平面映像と右目用の平面映像に対して、左目用の平面映像を左目で見て、右目用の平面映像を右目で見るようにシャッター開閉の制御を行うことで、映像を立体視するために用いられている。
このようにして立体映像を視聴できるテレビの登場により、シャッターメガネをかけてテレビを視聴するという形態は、今後普及していくと考えられる。
【先行技術文献】
【特許文献】
【０００５】
【特許文献１】特開平９−１０１７４９号公報
【発明の概要】
【発明が解決しようとする課題】
【０００６】
ところで、上述した従来の表示装置では、単一の表示機器を複数の視聴者で共有するという使用形態を想定しているため、視聴の途中で異なる視聴者が、同一の映像を見るか異なる映像を見るかを切り換えることができないという課題がある。
つまり、異なる視聴者が異なる映像を見ていれば、一方の映像にメニュー画面が表示されても、他方の映像にはメニュー画面が表示されず、視聴の妨害になることはないが、異なる視聴者が同一の映像を見ていれば、その映像にメニュー画面が表示されると、 その映像を見ている視聴者全員がメニュー画面を見ることになり、これはリモコンでメニューを操作する視聴者以外にとっては視聴の妨害になる。
【０００７】
本発明は、複数の人が映像を視聴中に、視聴中の映像とは異なるメニュー画面等の映像を一時的に表示する場合でも、一時的に表示する映像を見たくない人の視聴が妨害されないように映像を出力することのできる映像出力装置を提供することを目的とする。
【課題を解決するための手段】
【０００８】
上記課題を解決するために、本発明の映像出力装置は、時分割により複数の映像ストリームを出力可能な映像出力装置であって、所定の操作の開始および終了を示す操作信号を受信する操作信号受信部と、前記操作信号受信部が、前記所定の操作の開始を示す操作信号を受信してから、前記所定の操作の終了を示す操作信号を受信するまでの期間として規定される操作モードの期間においては、第１の映像ストリームを構成する画像からなる第１の画像セットと第２の映像ストリームを構成する画像からなる第２の画像セットとを交互に切り換えて出力し、前記操作モードでない期間として規定される通常モードの期間においては、前記第２の映像ストリームを構成する画像を含まず、前記第１の映像ストリームを構成する画像に基づいた画像を出力する映像出力部と、 前記操作モードの期間においては、前記第1の画像セットの出力区間から前記第２の画像セットの出力区間への切り換えのタイミング、および、前記第２の画像セットの出力区間から前記第１の画像セットの出力区間への切り換えのタイミングを示す同期信号を送信する同期信号送信部とを備えることを特徴とする。
【０００９】
また、本発明の映像表示システムは、時分割により複数の画像ストリームを表示可能な映像表示装置と、前記映像表示装置が表示する映像を視聴するためのシャッターメガネとを含む映像表示システムであって、前記映像表示装置は、所定の操作の開始および終了を示す操作信号を受信する操作信号受信部と、前記操作信号受信部が、前記所定の操作の開始を示す操作信号を受信してから、前記所定の操作の終了を示す操作信号を受信するまでの期間として規定される操作モードの期間においては、第１の映像ストリームを構成する画像からなる第１の画像セットと第２の映像ストリームを構成する画像からなる第２画像セットとを交互に切り換えて出力し、前記操作モードでない期間として規定される通常モードの期間においては、前記第２の映像ストリームを構成する画像を含まず、前記第１の映像ストリームを構成する画像に基づいた画像を出力する映像出力部と、前記操作モードの期間においては、前記第１の画像セットの出力区間から前記第２の画像セットの出力区間への切り換えのタイミング、および、前記第２の画像セットの出力区間から前記第１の画像セットの出力区間への切り換えのタイミングを示す同期信号を送信する同期信号送信部と、前記映像出力部が出力する映像を表示する映像表示部とを備え、前記シャッターメガネは、前記操作モードの期間において、前記第１の映像ストリームと前記第２の映像ストリームとのどちらを視聴するかを選択する選択部と、前記同期信号を受信する同期信号受信部と、前記同期信号に基づき、前記操作モードの期間においては、前記選択部により前記第１の映像ストリームを視聴することが選択された場合には、前記第１の画像セットの出力区間でシャッターを開き、前記第２の画像セットの出力区間でシャッターを閉じるようにシャッター制御を行い、 前記選択部により前記第２の映像ストリームを視聴することが選択された場合には、前記第１の画像セットの出力区間でシャッターを閉じ、前記第２の画像セットの出力区間でシャッターを開くようにシャッター制御を行うシャッター制御部とを備えることを特徴とする。
【発明の効果】
【００１０】
上記の映像出力装置によると、通常モードの期間では、第１の映像を出力し、操作モードの期間では、第１の映像と第２の映像とを時分割で出力し、それぞれの映像の切り換えのタイミングを示す同期信号を送信するので、その同期信号に基づいてシャッターを開閉するシャッターメガネを介して本映像出力装置から出力される映像を視聴すれば、操作モードの期間で、第１の映像または第２の映像を選択的に視聴することができる。
【００１１】
よって、第１の映像をメニューの表示されない通常の画面とし、第２の映像をメニュー画面とすると、複数の人が同じ第１の映像が表示されたテレビ画面を見ている場合に、１人がリモコンを操作してメニュー画面を呼び出し、リモコンを操作した人は、第２の映像を見るようにしておけば、リモコンを操作した視聴者だけがメニュー画面を見て、他の視聴者はメニュー画面に妨害されることなく通常の画面を見続けることができる。
【００１２】
また、上記の映像表示システムによると、上記の映像出力装置が出力する映像を表示した画面を、映像出力装置から送信される同期信号に基づいてシャッターを開閉するシャッターメガネを介して視聴するので、操作モードの期間で、第１の映像または第２の映像を選択的に視聴することができる。
ここで、前記第２の映像ストリームを構成する画像は、当該画像が出力されるタイミングの直前に出力される前記第１の映像ストリームを構成する画像に、当該第１の映像ストリームを構成する画像とは異なる画像を重畳してできる画像であるとしてもよい。
【００１３】
操作モードで表示する２つの映像ストリームのうち、第２の映像ストリームを構成する画像を第１の映像ストリームを構成する画像にメニュー画面等の他の画面を重畳して生成することで、第２の映像として表示されるメニュー画面を見ながらリモコンを操作する人も、背景として第1の映像を見ながら操作できる。
ここで、前記通常モードの期間において、前記映像出力部が出力する画像は、前記第１の映像ストリームを構成する画像に基づいて生成される補完画像を含み、前記補完画像は、第２の映像ストリームを構成する画像を前記操作モードの期間において表示すべきタイミングで、前記通常モードの期間に出力されるとしてもよい。
【００１４】
操作モードの期間において第２の映像ストリームを構成する画像を表示すべきタイミングに、通常モードの期間では、第１の映像ストリームを構成する画像に基づいて生成される補完画像を出力しておき、通常モードの期間におけるシャッターメガネのシャッター開閉のタイミングを元の画像が出力されるタイミングに加えて、補完画像が出力されるタイミングでもシャッターが開くようにしておくことで、通常モードの期間において、第１の映像ストリームをより滑かに見ることができる。
【００１５】
ここで、前記操作モードの期間において、前記映像出力部が出力する前記第２の映像ストリームを構成する画像を出力するタイミングは、前記通常モードの期間においては、前記第１の映像ストリームを構成する画像のうち、所定の画像を表示すべきタイミングであり、当該タイミングでは、前記第１の映像ストリームを構成する所定の画像を出力しないとしてもよい。
【００１６】
操作モードの期間において、第１の映像ストリームのフレームレートが高いなどの理由によって、第２の映像ストリームを構成する画像を出力するタイミングを確保するのが困難な場合でも、第１の映像ストリームを構成する画像のうちの一部を出力せずに、当該画像を出力するタイミングで第２の映像ストリームを構成する画像を出力するようにすれば、第１の映像ストリームと第２の映像ストリームとを時分割で出力できる。第１の映像ストリームを構成する画像のうちの一部を出力するとは、例えば、連続する画像を１枚おきに出力することであり、こうすることで映像の滑らかさは落ちるが、時分割表示することで、第１の映像ストリームを見たい人が、第２の映像ストリームとして一時的に表示されるメニュー画面等に妨害されて、 第２の映像ストリームを映した画面の一部が見えないという事態は避けることができる。
【００１７】
ここで、前記第２の映像ストリームを構成する画像は、当該画像が出力されるタイミングの直前に出力される前記第１の映像ストリームを構成する画像とは異なる画像に、当該第１の映像ストリームを構成する画像を縮小した画像を重畳してできる画像である としてもよい。
操作モードで表示する２つの映像ストリームのうちの第２の画面を、 第１の画面を縮小した画像をメニュー画面等の画面の一部に重畳した画像とすることで、第２の映像ストリームを視聴する人も、第１の映像ストリームを見ながら操作できる。
【００１８】
ここで、前記シャッターメガネは、前記シャッターメガネを装着している視聴者が、前記所定の操作の開始および終了を示す操作を行う操作デバイスを所持しているかどうかを検出する検出部を備え、前記選択部は、前記検出部が前記操作デバイスを所持していることを検出した場合には、前記第２の映像ストリームを視聴することが選択し、前記検出部が前記操作デバイスを所持していることを検出しない場合には、前記第１の映像ストリームを視聴することが選択するとしてもよい。
【００１９】
シャッターメガネを装着している視聴者が、操作モードの開始および終了を指示する操作を行う操作デバイスを所持している場合に、第２の映像ストリームを見るように選択部を制御することで、操作を行う視聴者が手動で選択する手間を省くことができる。操作デバイスを所持しているかどうかの検出は、例えば、人体通信により、操作デバイスとシャッターメガネとの間で通信を行うことにより実現できる。
【図面の簡単な説明】
【００２０】
【図１】本実施形態の映像出力装置の使用形態を示す図。
【図２】本実施形態の映像出力装置の通常画面に重畳したメニュー画面の例を示す図。
【図３】本実施形態の映像出力装置の構成を示す図。
【図４】本実施形態の映像出力装置の表示モードの切り換えを示す図。
【図５】本実施形態の通常モードにおけるシャッターメガネのシャッター制御を示す図。
【図６】本実施形態の操作モードにおけるシャッターメガネのシャッター制御を示す図。
【図７】本実施形態の映像出力装置の映像出力動作を示すフローチャート。
【図８】本実施形態のシャッターメガネのシャッター開閉制御を示すフローチャート。
【図９】本実施形態の平面映像に対するシャッターメガネのシャッター制御を示す図。
【図１０】本実施形態の映像出力装置が補完画像を出力する例を示す図。
【図１１】本実施形態の映像出力装置が画像を間引いて出力する例を示す図。
【図１２】本実施形態の映像出力装置の通常画面を埋め込んだメニュー画面の例を示す図。
【発明を実施するための形態】
【００２１】
《実施形態１》
本実施形態では、立体映像を表示するテレビ画面を、シャッターメガネをかけた２人の視聴者Ｘ，Ｙが見ている場合に、視聴者Ｘがリモコンを操作して映像や音声の設定を変更するための選択項目等を表示したメニュー画面を呼び出したときに、視聴者Ｘにだけメニュー画面が見え、視聴者Ｙにはメニュー画面が表示される前の通常の画面が見える映像出力装置について説明する。ここで立体映像とは、左目用の画像と右目用の画像とを交互に表示し、左目用の画像を左目で見て、右目用の画像を右目で見るように制御されたシャッターメガネをかけて視聴することで、立体的に見える映像であり、立体映像を表示するとは、左目用の画像を連ねてできる映像ストリームと、右目用の画像を連ねてできる映像ストリームとを時分割で交互に表示することである。
【００２２】
図１は、本実施形態の映像出力装置100を備えたテレビ110を、シャッターメガネ130をかけた２人の視聴者Ｘ，Ｙが視聴している状況を示している。後述するように、シャッターメガネ130には切換スイッチがついており、初期状態では切換スイッチはOFFであるとする。視聴者Ｘが、リモコン120を操作すると操作信号が送信され、テレビ110はそれまで表示していた通常画面とメニュー画面とを時分割で表示するようになる。このとき、通常画面の出力とメニュー画面の出力との切り換えのタイミングを示した同期信号を送信し、シャッターメガネ130は、この同期信号に基づいてシャッターの開閉を制御する。視聴者が、通常画面を見るかメニュー画面を見るかは、シャッターメガネ130に備えつけられた切換スイッチで選択できるようになっており、リモコンを操作する視聴者Ｘは、切換スイッチをONにすることでメニュー画面が見え、リモコンを操作しない視聴者Ｙは、切換スイッチをOFFのままにしておけば、メニュー画面が見えずに通常画面だけが見える。
【００２３】
このように、通常画面とメニュー画面とが時分割で表示される場合を操作モードと呼び、 操作モードでない場合、すなわち、どの視聴者にも同じ通常画面が表示される場合を通常モードと呼び、映像出力装置100は、リモコン120でメニュー画面の表示を要する操作を 開始および終了したことを示す操作信号を受信すると、通常モードと操作モードとの切り換えを行い、各モードに応じて出力する映像の制御を行う。
【００２４】
次に、通常モードと操作モードとのそれぞれの画面の例を、図２に示す。 図２において、（ａ）は左目用画像、（ｂ）は右目用画像である。
図２（ａ）において、左上図は、通常モードで表示される映像である。左下図は、メニュー画面を表示するためのグラフィックスである。操作モードでは、リモコンを操作しない視聴者は、切換スイッチを明示的にONにしない限り、右上図のように、通常モードと同じ映像を視聴する。リモコンを操作する視聴者は、切換スイッチをONにすることで、 右下図のように、通常モードで表示される映像の前面にメニューとして表示されるべきグラフィックスを重畳した映像を視聴する。以下の説明において、メニュー画面とは、通常の映像にメニューとして表示されるべきグラフィックスが重畳された画面のことをいう。
【００２５】
図２（ｂ）についても同様である。
〈構成〉
ここでは、本実施形態の映像出力装置を含む映像出力システムの構成について、 図３を用いて説明する。
映像出力装置100は、チューナ111から受信した、あるいは、記録媒体112に記録されている左目用映像および右目用映像を読み出し、リモコン120からの操作信号に基づいて、通常モードであるか操作モードであるかを判定し、通常モードでは読み出した左目用映像の画像と右目用映像の画像とを交互に出力した通常画面を、操作モードでは読み出した左目用映像の画像と右目用映像の画像とを交互に出力した通常画面に加え、生成した左目用グラフィックスと右目用グラフィックスとを交互に出力したメニュー画面とを時分割でディスプレイ113に出力し、出力する映像と同期した同期信号を送信する。
【００２６】
ここで、同期信号は、通常モードにおいては、左目用の画像の出力と右目用の画像の出力との切り換えのタイミングを示した信号であり、操作モードにおいては、左目用の画像の出力と右目用の画像の出力との切り換えのタイミングに加えて、通常画面とメニュー画面との切り換えのタイミングも示した信号である。
視聴者は、同期信号に基づいてシャッターの開閉を制御するシャッターメガネ130をかけてディスプレイ113に表示される映像を視聴することで、立体映像を見ることができ、 操作モードに切り換えた場合には、切換スイッチを明示的にONにすることで、メニュー画面を視聴することができ、切換スイッチを明示的にONにしなければ、メニュー画面に妨害されることなく通常画面を視聴することができる。
【００２７】
次に、映像出力装置100の構成について説明する。映像出力装置100は、操作信号受信部101、表示制御部102、同期制御部103、同期信号送信部104、ビデオデコーダ105、ビデオフレームバッファ106、グラフィックス生成部107、及び、グラフィックスフレームバッファ108を含む構成となっている。
操作信号受信部101は、リモコン120から送信される操作モードの開始および終了を指示する操作信号を受信する機能を有する。操作信号受信部101は、操作信号を受信するとその旨を表示制御部102に通知する。
【００２８】
表示制御部102は、ビデオデコーダ105に対して、チューナ111または記録媒体112から入力される映像をデコードするように指示する機能を有する。また、表示制御部102は、操作信号受信部101からの通知に基づいて、現在の表示モードが、通常モードなのか操作モードなのかを判断し、操作モードなら、メニュー画面を生成するようにグラフィックス生成部107に指示する機能を有する。更に、表示制御部102は、通常モードと操作モードとの切り換えが起こったときに、切り換え後の表示モードが通常モードなのか操作モードなのかを同期制御部103に通知する機能を有する。
【００２９】
同期制御部103は、表示制御部102からの通知に基づいて、同期信号を生成する機能を有する。同期制御部103は、表示制御部102から通知された現在の表示モードが通常モードのときは、ビデオデコーダ105によってデコードされた映像を出力した通常画面を立体視するために、シャッターメガネ130を制御すべきタイミングを示す同期信号を生成する。同期制御部103は、表示制御部102から通知された現在の表示モードが操作モードのときは、ビデオデコーダ105によってデコードされた映像を出力した通常画面と、ビデオデコーダ105によってデコードされた映像にグラフィックス生成部107が生成した映像が重畳したメニュー画面とのうち、いずれか一方の選択と、選択した画面の立体視とを行うために、シャッターメガネ130を制御すべきタイミングを示す同期信号を生成する。
【００３０】
図４は、通常モードと操作モードとの切り換えのタイミングと、同期信号の関係を示した図である。
操作信号受信部101が、操作モードの開始を示す操作信号を受信すると、表示制御部102は、操作モード用に同期信号を変更するように同期制御部103に指示し、同期信号送信部104は、変更後の同期信号を送信する。
【００３１】
操作信号受信部101が、操作モードの終了を示す操作信号を受信すると、表示制御部102は、操作モード用に変更された同期信号を元に戻すように同期制御部103に指示し、同期信号送信部104は、元の同期信号を送信する。
図５は、同期信号によって同期される映像出力のタイミングとシャッターの開閉のタイミングとの関係を示した図である。
【００３２】
図５（ａ）は、通常モードで出力される映像のうち、右目用と左目用のそれぞれ連続する２つの 画像A1L,A1R,A2L,A2Rを出力する信号を示している。ここで、nを整数として、画像AnLとは、 通常画面Aの左目用の映像ストリームのn番目の画像であることを意味する。また、画像AnRとは、通常画面Aの右目用の映像ストリームのn番目の画像であることを意味する。
【００３３】
図5（a）において、A1L,A1R,A2L,A2Rを付したパルスは、それぞれの画像をディスプレイ113に出力することを示した信号である。この立体映像は、右目用と左目用のそれぞれが30fpsの フレームレートであるとし、合計で60fpsであるとする。このとき、右目用画像を出力する信号と左目用画像を出力する信号とが1/60sごとに交互に出力される。
図５（ａ）に示しているように、各画像を出力するパルスは、フレーム間隔1/60sに比べて十分狭く、パルス幅に相当する一瞬だけディスプレイ113に画像が表示され、パルスのない区間ではディスプレイ113には何も表示されないが、1/60sという速い周期で画像を連続して出力することで、人間の目には映像として認識される。
【００３４】
図５（ａ）では、１つの画像を出力するのに１つのパルスしか図示していないが、実際は、プラズマテレビでは、赤、緑、青の色ごとの３つのパルスで、３つの色ごとの画像を出力することで、１つの画像を形成している。更に、その３つのパルスの組を何回か出力することで、輝度を調整しているが、いずれにせよ、１つの最終的な画像を出力するために必要なパルスの出力区間全体は、フレーム間隔1/60sの半分1/120sよりも短くなるように設計してあるものとする。つまり、図５（ａ）において、左目用画像と右目用画像とが出力される間には、少なくとも1/120sの間は、何も出力されない時間があることになる。
【００３５】
図５（ｂ）は、通常モードで表示される立体映像を視聴するために、シャッターメガネ130がシャッターを制御するタイミングを示す同期信号である。同期信号は、左目用の画像を出力するタイミングで立ち上がり、右目用の画像を出力するタイミングで立ち下がるパルス状の信号である。同期信号のパルスの高さを１とする。
映像出力装置100の同期信号送信部104は、上記の同期信号で示される変調をかけた赤外線などの電磁波を送信し、リモコン120の同期信号受信部131は、それを受信して検波することで、同期信号を取り出す。
【００３６】
図５（ｃ）は、図５（ｂ）の同期信号と同期して制御されるシャッターの開閉状態を示している。図５（ｃ）において、値１をとる区間がシャッターが開いていることを示し、値０をとる区間がシャッターが閉じていることを示している。左目用のシャッターは、同期信号の値が１であるときだけ開くようにすることで、左目には左目用の画像だけが見えるようになる。また、右目用のシャッターは、同期信号の値が０であるときだけ開くようにすることで、 右目には右目用の画像だけが見えるようになる。よって、このシャッターを通して映像を見ると、立体映像を見ることができる。
【００３７】
これに対して、図６（ａ）は、操作モードで出力される通常画面とメニュー画面との２つの映像のうち、右目用と左目用のそれぞれ連続する２つの画像A1L,A1R,A2L,A2RおよびB1L,B1R,B2L,B2Rを出力する信号を示している。ここで、nを整数として、画像BnLとは、メニュー画面Bの左目用の映像ストリームのn番目の画像であることを意味する。また、画像BnRとは、メニュー画面Bの右目用の映像ストリームのn番目の画像であることを意味する。ここで、メニュー画面Bは、上述したように、通常の映像にメニューとして表示されるべきグラフィックスが重畳された画面のことをいう。
【００３８】
操作モードでは、通常モードで信号が出力されてないタイミングを利用して、メニュー画面用の画像を出力する。従って、操作モードでは、通常モードに比べてフレームレートが２倍になる。
図６（ｂ）は、図６（ａ）の画像を出力するタイミングを示す同期信号である。同期信号は、 左目用の通常画面を出力するタイミングで立ち上がり、左目用のメニュー画面を出力するタイミングで立ち下がる正のパルス状の信号と、右目用の通常画面を出力するタイミングで立ち上がり、右目用のメニュー画面を出力するタイミングで立ち下がる負のパルス状の信号とを重ね合わせた信号である。
【００３９】
図６（ｃ）は、選択部133で通常画面を視聴するように選択している場合に、図６（ｂ）で示される同期信号と同期して、シャッターの開閉を制御するシャッターメガネの開閉状態を表している。左目用のシャッターは、同期信号の値が１であるときだけ開くようにすることで、左目には左目用の画像だけが見えるようになる。また、右目用のシャッターは、同期信号の値が−１であるときだけ開くようにすることで、右目には右目用の画像だけが見えるようになる。よって、この通常シャッターを通して映像を見ると、通常画面の立体映像を見ることができる。
【００４０】
一方、選択部133でメニュー画面を視聴するように切り換えると同期信号変換部132は、受信した同期信号を図６（ｄ）のように変換する。すなわち、図６（ｂ）に示した変換前の同期信号に対して、変換後の同期信号は、１フレームに相当する1/120sだけ位相を遅らせた信号である。
図６（ｅ）は、図６（ｄ）で示される変換後の同期信号と同期して、シャッターの開閉を制御するシャッターメガネの開閉状態を表している。この切換シャッターを通して映像を見ると、通常の映像にメニューとして表示されるべきグラフィックスが重畳された立体映像を見ることができる。
【００４１】
同期信号送信部104は、同期制御部103が生成した同期信号を、赤外線通信などの無線通信によって送信する機能を有する。
ビデオデコーダ105は、チューナ111により受信した映像、または、記録媒体112に記録されている映像を読み出し、デコードする機能を有する。また、ビデオデコーダ105は、映像をデコードして得られる画像をビデオフレームバッファ106に書き込む機能を有する。ビデオデコーダ105は、デコードした映像ストリームが左目用ならば、ビデオフレームバッファ106Lに左目用画像を書き込み、デコードした映像ストリームが右目用ならば、ビデオフレームバッファ106Rに右目用画像を書き込む。
【００４２】
ビデオフレームバッファ106は、ビデオデコーダ105によってデコードされた画像を記憶するためのメモリである。ビデオフレームバッファ106は、左目用画像記録用と右目用画像記録用とが別々に用意されている。
グラフィックス生成部107は、操作モードである期間において表示されるメニュー画面を生成する機能を有する。グラフィックス生成部107は、表示制御部102から操作モードに移行したこと通知されると、予め決められたトップメニューの画像を生成し、グラフィックスフレームバッファ108に書き込む。更に、リモコン120のカーソルキーや決定キーが押下されたことを示す操作信号を受信したことを表示制御部102から通知されると、 それに応じてメニュー上の選択項目の状態を変更した画像を生成したり、サブメニューの画像を生成する。本実施形態では、メニュー画面も立体的であるとしているので、上記の画像生成は左目用と右目用とを別に生成し、それぞれ、グラフィックスフレームバッファ108L、および、グラフィックスフレームバッファ108Rに書き込む。
【００４３】
グラフィックスフレームバッファ108は、グラフィックス生成部107が生成したメニュー画面を示す画像を記憶するためのメモリである。グラフィックスフレームバッファ108は、 左目用画像記録用と右目用画像記録用とが別々に用意されている。
〈映像出力動作〉
ここでは、映像出力装置100の動作を図７のフローチャートを用いて説明する。
【００４４】
まず、映像出力装置100の操作信号受信部101がリモコン120の操作信号送信部122から映像出力の開始を指示する操作信号を受信すると、表示制御部102は同期制御部103に通常モードで送信すべき同期信号を生成するように指示し、同期信号送信部104が同期信号の送信を開始する(S700)。
次に、操作信号受信部101が、操作モードを開始する操作信号を受信したかどうか判定し(S701)、操作モードを開始する操作信号を受信すれば(S701 Y)、操作モードを開始する(S702)。更に、同期制御部103は、同期信号送信部104から出力すべき同期信号を通常モード用から操作モード用に変更する(S703)。これにより、同期制御部103が生成する同期信号は、図６（ｂ） のようになる。
【００４５】
操作信号受信部101が、 操作モードを開始する操作信号を受信しなければ(S701 N)、操作モードを終了する操作信号を受信したかどうか判定し(S704)、操作モードを終了する操作信号を受信すれば(S704 Y)、操作モードを終了する(S705)。更に、同期制御部103は、同期信号送信部104から出力すべき同期信号を操作モード用から通常モード用に戻す(S706)。これにより、同期制御部103が生成する同期信号は、図５（ｂ）のようになる。
【００４６】
次に、現在処理中の映像が左目用なのか右目用なのかを示す変数をQとして、Q=L,Rについて、以下の処理を行う(S707,S715,S716)。
まず、ビデオデコードを行う(S708)。すなわち、ビデオデコーダ105が、チューナ111から受信した映像、または、記録媒体112に記録されている映像を読み出し、デコードして得られる画像Aをビデオフレームバッファ106に書き込む。このとき、Q=Lなら左目用の映像のデコードを行い、Q=Rなら右目用の映像のデコードを行う。
【００４７】
次に、映像出力部109は、ビデオフレームバッファ106から通常画面の画像Aを取得し(S709)、同期信号に同期して、画像Aをディスプレイ113に出力する(S710)。すなわち、通常モードでQ=Lの場合は、図５（ｂ）の同期信号に対して、パルスの立ち上がりのタイミングで、ビデオフレームバッファ106から左目用の画像Aを取得し、当該画像Aを表示するためのパルス信号をディスプレイ113に出力する。また、通常モードでQ=Rの場合は、図５（ｂ）の同期信号に対して、パルスの立ち下がりのタイミングで、ビデオフレームバッファ106から右目用の画像Aを取得し、当該画像Aを表示するためのパルス信号をディスプレイ113に出力する。操作モードの場合は、図６（ｂ）の同期信号に対して、Q=Lなら、パルスが０から１への立ち上がるタイミングでビデオフレームバッファ106から左目用の画像Aを取得し、当該画像Aを表示するためのパルス信号を ディスプレイ113に出力し、Q=Rなら、パルスが０から−１への立ち上がるタイミングで ビデオフレームバッファ106から右目用の画像Aを取得し、当該画像Aを表示するためのパルス信号をディスプレイ113に出力する。
【００４８】
次に、現在の表示モードが操作モードかどうか判定し(S711)、操作モードでなければ(S710 N)、以上の処理を同期信号の周期1/30sで繰り返す(S715 Y)。
現在の表示モードが操作モードかどうかの判定において(S711)、操作モードであれば(S711 Y)、グラフィックス生成部107が、メニュー画面を示すグラフィックスを生成し、その画像Bをグラフィックスフレームバッファ108に書き込む(S712)。このとき、Q=Lなら左目用のグラフィックスを生成し、Q=Rなら右目用のグラフィックスを生成する。
【００４９】
次に、映像出力部109は、グラフィックスフレームバッファ108から通常の映像にメニューとして表示されるべきグラフィックスが重畳された画像Bを取得し(S713)、ディスプレイ113に出力する(S714)。すなわち、操作モードでは、図6（ｂ）の同期信号を送信しているので、Q=Lなら、パルスが１から０への立ち下がるタイミングでグラフィックスフレームバッファ108から左目用の画像Bを取得し、当該画像Bを表示するためのパルス信号をディスプレイ113に出力し、Q=Rなら、パルスが−１ から０への立ち下がるタイミングでグラフィックスフレームバッファ108から右目用の画像Bを取得し、当該画像Bを表示するためのパルス信号をディスプレイ113に出力する。
【００５０】
操作モードでは、以上の処理を同期信号の周期1/30sで繰り返す(S715 Y)。 
〈シャッター制御動作〉
ここでは、シャッターメガネ130の動作を図８のフローチャートを用いて説明する。
まず、同期信号受信部131が同期信号を受信するまで待つ(S801)。
同期信号受信部131が同期信号を受信すると(S801 Y)、選択部133の切換スイッチがONであるかOFFであるかを判定する(S802)。
【００５１】
切換スイッチがONであるならば(S802 Y)、同期信号受信部131が受信した同期信号を同期信号変換部132が変換し(S803)、シャッター制御部134は、変換された同期信号と同期したシャッターの開閉制御を開始する(S804)。
切換スイッチがONでないならば(S802 N)、シャッター制御部134は、同期信号受信部131が受信した同期信号と同期したシャッターの開閉制御を開始する(S805)。
【００５２】
同期信号受信部131が同期信号を受信しなければ(S801N)、シャッター制御部134は、シャッターの開閉制御を終了し、シャッターを開いたままにする(S806)。
《補足》
上述の実施形態を以下のように変形してもよい。
（１）上述の実施形態では、通常画面とメニュー画面とが立体映像を表示するとし、それぞれ左目用と右目用の画像を交互に出力するようにしたが、本発明は必ずしもこれに限定されるわけではない。
【００５３】
通常画面もメニュー画面も平面映像であっても、視聴者全員が、シャッターメガネ130をかけて視聴していれば、特定の視聴者だけにメニュー画面が見えるようにすることができる。この場合、通常モードでは視聴者全員が同じ平面映像を見ることになるので、同期信号を送信せずに、シャッターメガネのシャッターは開け放しにすればよい。また、通常画面は立体映像であり、メニュー画面は平面映像であるとしてもよい。
【００５４】
図９は、通常画面もメニュー画面も平面映像である場合の、通常モードおよび操作モードの画像出力タイミングと同期信号およびシャッター制御タイミングの関係を示した図である。
この場合、通常モードでは、シャッター制御する必要がないので、同期信号を送信しない。 図９（ｂ）のように操作モードでは、図９（ａ）の通常画面の画像出力タイミングの間で、メニュー画面の画像を出力し、通常モードの２倍のフレームレートで画像を出力する。このとき、図９（ｃ）のように同期信号を送信する。通常シャッターメガネは、この同期信号に従って、図９（ｄ）のようにシャッターを開閉する。切換シャッターメガネは、同期信号を図９（ｅ）のように変換し、変換された同期信号に従って、図９（ｆ）のようにシャッターを開閉する。
【００５５】
（２）上述の実施形態では、通常画面に対応する信号を出力する際に、操作モードにおいてメニュー画面に対応する信号を出力すべきタイミングには、何の信号も出力しないとしたが、本発明は必ずしもこれに限定されるわけではない。
例えば、図１０には、通常画面もメニュー画面も平面映像である場合に、通常モードにおいて、補完画像a1〜a4を出力する例である。補完画像は、例えば、前後に出力される画像に基づいて、それらの中間の時点で表示されるべき画像として演算処理により生成される。例えば、補完画像a1は、画像A1とA2とから生成される。操作モードでは、この補完画像a1〜a4を出力する代わりに、メニュー画面の画像B1〜B4を出力し、 通常画面の出力タイミングとメニュー画面の出力タイミングとを判別可能な同期信号を送信する。この同期信号を受信して、通常シャッターメガネは、通常画面が出力されるタイミングでシャッターが開き、メニュー画面が出力されるタイミングでシャッターが閉まるようにシャッター制御を行い、切換シャッターメガネは、通常画面が出力されるタイミングでシャッターが閉まり、メニュー画面が出力されるタイミングでシャッターが開くようにシャッター制御を行う。こうすることで、通常モードにおいて、より滑らかな映像を出力することができ、かつ、操作モードでは、通常画面とメニュー画面との二画面表示ができる。
【００５６】
（３）上述の実施形態では、通常画面に対応する信号間の何も信号を出力しないタイミングを利用して、メニュー画面に対応する信号を出力するとしたが、本発明は必ずしもこれに限定されるわけではない。
例えば、図１１には、通常画面もメニュー画面も平面映像で、通常モードの映像が120fpsのフレームレートである場合の例である。操作モードでは、画像A2,A4,A6,A8を出力する代わりに、メニュー画面の画像B1〜B4を出力し、通常画面の出力タイミングとメニュー画面の出力タイミングとを判別可能な同期信号を送信する。この同期信号を受信して、通常シャッターメガネは、通常画面が出力されるタイミングでシャッターが開き、メニュー画面が出力されるタイミングでシャッターが閉まるようにシャッター制御を行い、切換シャッターメガネは、通常画面が出力されるタイミングでシャッターが閉まり、メニュー画面が出力されるタイミングでシャッターが開くようにシャッター制御を行う。
【００５７】
こうすることで、通常モードでは、滑らかな映像出力を維持し、操作モードに移行した場合にだけ、通常画面のフレームレートを120fpsから60fpsにして画質を落とす代わりに、通常画面とメニュー画面との二画面表示を実現できる。
（４）上述の実施形態では、リモコン120を操作する視聴者が、シャッターメガネ130の選択部133の切換スイッチを手動で切り換えることで、操作モードにおいて、メニュー画面を見ることができるとしたが、本発明は必ずしもこれに限定されるわけではない。
【００５８】
例えば、リモコン120とシャッターメガネ130の間で、人体通信により信号を伝達し、リモコン120を操作する視聴者が、リモコン120に触れたときに、シャッターメガネ130の選択部133がメニュー画面を視聴するように切り換えるようにしてもよい。
ここで、人体通信とは、人間の体に電流を流すことで通信を行う技術であり、リモコン120およびシャッターメガネ130の皮膚と接触する部分に端子を備えつけておくことで、 シャッターメガネ130をかけた人が、リモコン120に触れたときに、触れたことを検出することができる。
【００５９】
こうすることで、手動による切り換えという手間をかけずに、メニュー画面を見る必要のある視聴者、つまり、リモコンをもって操作しようとする視聴者だけがメニュー画面を見ることができる。
（５）上述の実施形態では、通常画面とメニュー画面とを１枚ずつ交互に出力するとしたが、本発明は必ずしもこれに限定されるわけではない。
【００６０】
例えば、簡単のため平面映像で説明すると、通常画面A1〜A4と、メニュー画面B1,B2を、A1-A2-B1-A3-A4-B2のように、２枚と１枚とを交互に出力するようにしてもよい。この場合、A1,B1,A3,B2を出力するタイミング、すなわち、出力する画像の種類が切り換わるタイミングを判定できるように同期信号を送信することで、シャッターメガネは通常画面またはメニュー画面のいずれかを選択して視聴できるようにシャッター制御を行うことができる。ここで、A1-A2のように、同じ映像ストリームを構成する画像で、出力タイミングが連続しているものの組を画像セットと呼ぶと、同期信号は、画像セットの切り換えタイミングを示す信号であればよい。
【００６１】
（６）上述の実施形態では、メニュー画面の映像として、通常画面にメニューとして表示すべきグラフィックスを重畳した映像を表示するとしたが、本発明は必ずしもこれに限定されるわけではない。
例えば、図１２の右下図のように、通常モードに表示される映像を縮小して表示するようにしてもよい。
【００６２】
また、通常画面は表示せずに、メニューとして表示されるグラフィックスだけをメニュー画面として表示するようにしてもよい。
（７）上述の実施形態では、通常画面から一時的に切り換えて表示される画面は、映像や音声の設定変更を行うメニュー画面であるとしたが、本発明は必ずしもこれに限定されるわけではない。
【００６３】
例えば、メニュー画面の代わりに、ユーザ操作に応じて一時的に必要になった情報を、通常の映像に重畳して表示する画面であってもよい。
（８）上述の実施形態では、映像出力装置の説明を行ったが、上記の映像出力装置と同様の機能を有する集積回路、あるいは、上記の映像出力装置と同様の制御をコンピュータに実行させる制御プログラムも本発明の範疇である。 
【００６４】
（９）上述の実施形態では、操作モードの場合にのみグラフィックスを生成する構成となっているが、これに限定されない。モードに関係なくグラフィックスを生成する構成であってもよい。この場合において生成されたグラフィックスは、操作モード時には映像と合成され表示される。
また、表示するフレーム毎に、グラフィックスは生成される構成となっているが、これに限定されない。映像出力装置は、１度生成したグラフィックスを、グラフィックスの表示内容が変更されるまでの間、一時的に保持しておき、映像と保持されたグラフィックスを合成して、表示してもよい。
【００６５】
（１０）上記の実施形態では、操作モード時の画像の出力順序を、A1L、B1L、A1R、B1R、・・・としたが、これに限定されない。例えば、A1L、A1R、B1L、B1R、・・・の出力順序であってもよい。つまり、これら４系統の画像を１つの組として周期的に出力するものであればよい。
【産業上の利用可能性】
【００６６】
本発明の映像出力装置は、単一の表示機器において複数の視聴者が異なる映像を動的に切り換えて見ることが可能な映像出力装置として有用である。
【符号の説明】
【００６７】
100：映像出力装置
101：操作信号受信部
102：表示制御部
103：同期制御部
104：同期信号送信部
105：ビデオデコーダ
106：ビデオフレームバッファ
107：グラフィックス生成部
108：グラフィックスフレームバッファ
109：映像出力部
110：テレビ
111：チューナ
112：記録媒体
113：ディスプレイ
120：リモコン
121：操作部
122：操作信号送信部
130：シャッターメガネ
131：同期信号受信部
132：同期信号変換部
133：選択部
134：シャッター制御部
【手続補正２】
【補正対象書類名】特許請求の範囲
【補正対象項目名】全文
【補正方法】変更
【補正の内容】
【特許請求の範囲】
【請求項１】
時分割により複数の映像ストリームを出力可能な映像出力装置であって、
所定の操作の開始および終了を示す操作信号を受信する操作信号受信部と、
前記操作信号受信部が、前記所定の操作の開始を示す操作信号を受信してから、 前記所定の操作の終了を示す操作信号を受信するまでの期間として規定される操作モードの期間においては、第１の映像ストリームを構成する画像からなる第１の画像セットと第２の映像ストリームを構成する画像からなる第２の画像セットとを交互に切り換えて出力し、前記操作モードでない期間として規定される通常モードの期間においては、前記第２の映像ストリームを構成する画像を含まず、前記第１の映像ストリームを構成する画像に基づいた画像を出力する映像出力部と、
前記操作モードの期間においては、前記第１の画像セットの出力区間から前記第２の画像セットの出力区間への切り換えのタイミング、および、前記第２の画像セットの出力区間から前記第１の画像セットの出力区間への切り換えのタイミングを示す同期信号を送信する同期信号送信部とを備える
ことを特徴とする映像出力装置。
【請求項２】
前記第２の映像ストリームを構成する画像は、
当該画像が出力されるタイミングの直前に出力される前記第１の映像ストリームを構成する画像に、当該第１の映像ストリームを構成する画像とは異なる画像を重畳してできる画像である
ことを特徴とする請求項１に記載の映像出力装置。
【請求項３】
前記通常モードの期間において、前記映像出力部が出力する画像は、前記第１の映像ストリームを構成する画像に基づいて生成される補完画像を含み、
前記補完画像は、
第２の映像ストリームを構成する画像を前記操作モードの期間において表示すべきタイミングで、前記通常モードの期間に出力される 
ことを特徴とする請求項２に記載の映像出力装置。
【請求項４】
前記操作モードの期間において、前記映像出力部が出力する前記第２の映像ストリームを構成する画像を出力するタイミングは、前記通常モードの期間においては、前記第１の映像ストリームを構成する画像のうち、所定の画像を表示すべきタイミングであり、
当該タイミングでは、前記第１の映像ストリームを構成する所定の画像を出力しない
ことを特徴とする請求項２に記載の映像出力装置。
【請求項５】
前記第２の映像ストリームを構成する画像は、
当該画像が出力されるタイミングの直前に出力される前記第１の映像ストリームを構成する画像とは異なる画像に、当該第１の映像ストリームを構成する画像を縮小した画像を重畳してできる画像である
ことを特徴とする請求項１に記載の映像出力装置。
【請求項６】
時分割により複数の画像ストリームを表示可能な映像表示装置と、前記映像表示装置が表示する映像を視聴するためのシャッターメガネとを含む映像表示システムであって、
前記映像表示装置は、
所定の操作の開始および終了を示す操作信号を受信する操作信号受信部と、
前記操作信号受信部が、前記所定の操作の開始を示す操作信号を受信してから、 前記所定の操作の終了を示す操作信号を受信するまでの期間として規定される操作モードの期間においては、第１の映像ストリームを構成する画像からなる第１の画像セットと第２の映像ストリームを構成する画像からなる第２の画像セットとを交互に切り換えて出力し、前記操作モードでない期間として規定される通常モードの期間においては、 前記第２の映像ストリームを構成する画像を含まず、前記第１の映像ストリームを構成する画像に基づいた画像を出力する映像出力部と、
前記操作モードの期間においては、前記第１の画像セットの出力区間から前記第２の画像セットの出力区間への切り換えのタイミング、および、前記第２の画像セットの出力区間から前記第１の画像セットの出力区間への切り換えのタイミングを示す同期信号を送信する同期信号送信部と、
前記映像出力部が出力する映像を表示する映像表示部とを備え、
前記シャッターメガネは、
前記操作モードの期間において、前記第１の映像ストリームと前記第２の映像ストリームとのどちらを視聴するかを選択する選択部と、
前記同期信号を受信する同期信号受信部と、
前記同期信号に基づき、前記操作モードの期間においては、前記選択部により前記第１の映像ストリームを視聴することが選択された場合には、前記第１の画像セットの出力区間でシャッターを開き、前記第２の画像セットの出力区間でシャッターを閉じるようにシャッター制御を行い、前記選択部により前記第２の映像ストリームを視聴することが選択された場合には、前記第１の画像セットの出力区間でシャッターを閉じ、前記第２の画像セットの出力区間でシャッターを開くようにシャッター制御を行うシャッター制御部とを備える
ことを特徴とする映像表示システム。
【請求項７】
前記シャッターメガネは、
前記シャッターメガネを装着している視聴者が、前記所定の操作の開始および終了を示す操作を行う操作デバイスを所持しているかどうかを検出する検出部を備え、
前記選択部は、
前記検出部が前記操作デバイスを所持していることを検出した場合には、前記第２の映像ストリームを視聴することが選択し、前記検出部が前記操作デバイスを所持していることを検出しない場合には、前記第１の映像ストリームを視聴することが選択する
ことを特徴とする請求項６に記載の映像表示システム。
【手続補正３】
【補正対象書類名】図面
【補正対象項目名】全図
【補正方法】変更
【補正の内容】
【図１】
2011086653.tif 000015
【図２】
2011086653.tif 000016
【図３】
2011086653.tif 000017
【図４】
2011086653.tif 000018
【図５】
2011086653.tif 000019
【図６】
2011086653.tif 000020
【図７】
2011086653.tif 000021
【図８】
2011086653.tif 000022
【図９】
2011086653.tif 000023
【図１０】
2011086653.tif 000024
【図１１】
2011086653.tif 000025
【図１２】
2011086653.tif 000026
【国際調査報告】
2011086653.tif 000027
2011086653.tif 000028